(57)【要約】      （修正有）【課題】低コストで水槽を背面から的確に照明するとともに、視覚的効果を高めることが可能な水槽用バックライト及びバックライト付水槽を提供する。【解決手段】水槽の背面に配置される水槽用バックライト１０であって、天板１１と、上部から下部にかけて前方に突出するように傾斜した背板１２と、天板１１の下面に配置されて下向きに光を照射する光源部とを有し、光源部からの光を背板１２の内面に反射させて、水槽を背面から照明する。また、背板１２の内面に装飾シート１７を貼付する。【選択図】図１
0003192835.tif 000002
【実用新案登録請求の範囲】
【請求項１】
水槽の背面に配置される水槽用バックライトであって、
天板と、上部から下部にかけて前方に突出するように傾斜した背板と、前記天板の下面に配置されて下向きに光を照射する光源部とを有し、
前記光源部からの光を前記背板の内面に反射させて、前記水槽を背面から照明することを特徴とする水槽用バックライト。
【請求項２】
前記背板の内面に装飾シートを貼付したことを特徴とする請求項１に記載の水槽用バックライト。
【請求項３】
前記光源部からの光の前記背板の内面に対する照射角度を変化させるように、前記光源部を回動可能としたことを特徴とする請求項１又は請求項２に記載の水槽用バックライト。
【請求項４】
前記光源部を正面から覆うカバー部を設けたことを特徴とする請求項１乃至請求項３のうちいずれか１つに記載の水槽用バックライト。
【請求項５】
請求項１乃至請求項４のうちいずれか１つ記載の水槽用バックライトを備えたバックライト付水槽。
【考案の詳細な説明】
【技術分野】
【０００１】
本考案は、水槽の背面に配置される水槽用バックライト、及び水槽用バックライトを備えたバックライト付水槽に関するものである。
【背景技術】
【０００２】
従来、熱帯魚等を飼育するための水槽を照明する場合には、水槽上部から直接水面を照らすものが主流であった。その一例として、図１１及び図１２に示す水槽２００について説明する。図１１及び図１２は、それぞれ水槽２００を示す正面図及び側面図である。
【０００３】
水槽２００は、水槽上部に水耕栽培用のプランター１を備えている。そして、取水口２から取水した水槽内の水を、取水管３を経由して給水管４に運び、給水管４に設けた穴からプランター１内に給水するようになっている。さらに、給水された水は、プランター１の底板に設けた水抜き穴から水槽内に落下させて循環させるようになっている。
【０００４】
一方、水槽上部のプランター１の前側には、水槽上部を覆うようにガラス板６が載置されており、ガラス板６の上に照明装置７が載置されている。そして、照明装置７により水槽上部から水面を照らすようになっている。なお、ガラス板６は、照明装置７が水に濡れないようにするためのものである。
【０００５】
ところで、水槽２００のように水槽上部から水面を照らす場合には、水滴がガラス板６に付いて汚れてしまうという問題がある。また、水槽上部にプランター１等の設置物がある場合には、水槽上部に照明装置を配置するのにスペース上の制約がある。また、スペース上の都合から照明装置を前側に配置せざるを得ない場合には、熱帯魚等が光を嫌って後方に逃げてしまうという問題もある。
【０００６】
これに対して、水槽の背面に照明装置を配置して背面から水槽を照明するバックライト付水槽として、特許文献１には、多数の溝９ａが形成された導光板９により、上下の光源８からの光を広い範囲に均等に広げるようにした水槽装置に関する発明が記載されている。また、特許文献２には、Ｖ溝３を備えた導光板１により、上方の光源２からの光を均斉化するとともに所定方向に反射させるようにした照明ユニットに関する発明が記載されている。
【０００７】
また、特許文献３には、水槽の背後に設置される広告媒体装入室４に照明装置６を設けるとともに、水槽の前面を凸曲面状に形成して、装飾パネル５を大きくかつ立体的に表現するようにした立体表示水槽に関する発明が記載されている。
【０００８】
また、特許文献４には、導光板と複数の色を含む複数の発光ダイオードを備えたバックライト付き観賞用水槽に関する発明が記載されている。
【先行技術文献】
【特許文献】
【０００９】
【特許文献１】実用新案登録第３１３１５６８号公報
【特許文献２】特開２００１−６４２１号公報
【特許文献３】特開平９−７４９４１号公報
【特許文献４】特開２０１１−９６６０２号公報
【考案の概要】
【考案が解決しようとする課題】
【００１０】
しかしながら、特許文献１や特許文献２に記載された発明の場合、水槽を背面から照明するために導光板に溝を設ける必要がある。また特許文献３に記載された発明の場合、視覚的効果を高めるために水槽の前面を凸曲面状に形成する必要がある。また特許文献４に記載された発明の場合、視覚的効果を高めるために複数の色を含む複数の発光ダイオードを備える必要がある。これらはいずれも、原材料の増加や製造工程の複雑化による製造コストの増加を招くという問題がある。
【００１１】
また、水槽内の明るさの調整の問題や、斜め下からなどの見る角度によっては光源部が直接目に入って眩しいという問題もある。
【００１２】
本考案は、上記従来の課題を解決するものであり、低コストで水槽を背面から的確に照明するとともに、視覚的効果を高めることが可能な水槽用バックライト及びバックライト付水槽を提供するものである。
【課題を解決するための手段】
【００１３】
上記課題を解決するため、本考案の水槽用バックライトは、水槽の背面に配置される水槽用バックライトであって、天板と、上部から下部にかけて前方に突出するように傾斜した背板と、前記天板の下面に配置されて下向きに光を照射する光源部とを有し、前記光源部からの光を前記背板の内面に反射させて、前記水槽を背面から照明することを特徴とする。
【００１４】
また好ましくは、前記背板の内面に装飾シートを貼付したことを特徴とする。
【００１５】
また好ましくは、前記光源部からの光の前記背板の内面に対する照射角度を変化させるように、前記光源部を回動可能としたことを特徴とする。
【００１６】
また好ましくは、前記光源部を正面から覆うカバー部を設けたことを特徴とする。
【００１７】
また本考案のバックライト付水槽は、本考案の水槽用バックライトを備えている。
【考案の効果】
【００１８】
本考案によれば、水槽用バックライトの天板の下面には下向きに光を照射する光源部が配置され、また水槽用バックライトの背板は上部から下部にかけて前方に突出するように傾斜しているため、下向きに照射された光源部からの光を、傾斜した背板の内面に反射させて方向を変えて、水槽を背面から的確に照明することができる。光源部からの光の方向を変えるために、先行技術文献に記載されたような溝を形成する必要はない。また、背板が傾斜しているので、水槽正面から見た場合に奥行きが出て広く感じるという視覚的効果を得ることができる。
【００１９】
また本考案によれば、背板の内面に装飾シートを貼付することにより、水槽正面から装飾シートに描かれた模様を見ることができる。また、装飾シートの反射率を調整することにより、水槽内の明るさを調整することができる。
【００２０】
また本考案によれば、光源部からの光の背板の内面に対する照射角度を変化させるように、光源部を回動可能とすることにより、水槽内の明るさを調整することができ、また斜め下からなどの見る角度によって眩しい場合に、光源部が直接目に入らないようにすることができる。
【００２１】
また本考案によれば、光源部を正面から覆うカバー部を設けることにより、水槽内の明るさを調整することができ、また斜め下からなどの見る角度によって眩しい場合に、光源部が直接目に入らないようにすることができる。
【００２２】
以上、本考案によれば、低コストで水槽を背面から的確に照明するとともに、視覚的効果を高めることが可能な水槽用バックライト及びバックライト付水槽を提供することができる。
【図面の簡単な説明】
【００２３】
【図１】本考案の実施形態に係る水槽用バックライトを示す上方から見た斜視図である。
【図２】本考案の実施形態に係る水槽用バックライトを示す下方から見た斜視図である。
【図３】本考案の実施形態に係る水槽用バックライトを示す正面図である。
【図４】本考案の実施形態に係る水槽用バックライトを示す側面図である。
【図５】図３のＡ−Ａ断面図である。
【図６】本考案の実施形態に係る水槽用バックライトを示す底面図である。
【図７】本考案の実施形態に係るバックライト付水槽を示す正面図である。
【図８】本考案の実施形態に係るバックライト付水槽を示す側面図である。
【図９】他の実施形態に係る水槽用バックライトの要部を示す拡大端面図である。
【図１０】他の実施形態に係る水槽用バックライトの要部を示す拡大端面図である。
【図１１】従来例に係るバックライト付水槽を示す正面図である。
【図１２】従来例に係るバックライト付水槽を示す側面図である。
【考案を実施するための形態】
【００２４】
次に、図１乃至図６を参照して、本考案の実施形態に係る水槽用バックライトについて説明する。図１は本考案の実施形態に係る水槽用バックライト１０を示す上方から見た斜視図であり、図２は下方から見た斜視図である。図３は水槽用バックライト１０を示す正面図であり、図４は側面図である。図５は図３のＡ−Ａ断面図であり、図６は水槽用バックライト１０を示す底面図である。
【００２５】
水槽用バックライト１０は、天板１１、背板１２、及び２枚の側板１３，１４の各板材により構成されている。天板１１は、略矩形状の板材であって水平状態に配置されている。背板１２は、略矩形状の板材であって、上辺部が天板１１の後方側の長辺部と接合されており、上部から下部にかけて前方に突出するように傾斜して配置されている。側板１３，１４は、略三角形状の板材であって、それぞれ天板１１の短辺部及び背板１２の側辺部と接合されている。以上により、水槽用バックライト１０は、正面から見ると略矩形状で、側面からみると略三角形状となるように形成されている。
【００２６】
天板１１の下面には、光源部１５が取り付けられている。光源部１５は、複数のＬＥＤ照明１６が取り付けられた板状部材であり、天板１１の下面に配置されることにより、下向き（垂直方向）に光を照射するようになっている。なお、図において光源部１５の配線等は省略している。また、光源部１５に取り付けられる照明器具はＬＥＤ照明に限定されるものではなく、蛍光灯など他の照明器具であってもよい。
【００２７】
天板１１の上面には、２本の留具１８，１９が取り付けられている。留具１８，１９は、略Ｌ字形であり、水槽用バックライト１０を水槽の背面に取り付けるためのものである。留具１８，１９の垂直部と天板１１との間には、水槽の背板（ガラス）を挟み込むための隙間が設けられている。なお、留具１８，１９の垂直部と天板１１との隙間を変更可能として、水槽の背板の厚さに応じて調整できるようにすることが好ましい。
【００２８】
背板１２の内面には、装飾シート１７が貼付されている。本実施形態の装飾シート１７には、海中の岩礁が描かれている。装飾シート１７は必ずしも必要ではないが、視覚的効果を高めるために貼付することが好ましい。
【００２９】
ここで、天板１１、背板１２、側板１３，１４の材質は、金属製や樹脂製など特に限定されないが、背板１２の内面は、後述するように光源部１５からの光を反射させる必要がある。従って、背板１２自体をステンレスなどの金属製にする方法の他、背板１２の内面に反射性のあるシートを貼付してもよい。また、装飾シート１７に光沢のある印刷シート等のある程度反射性のある部材を用いる方法をとることもできる。特に、装飾シート１７を用いる方法であれば、装飾シートの反射率を調整することにより水槽内の明るさを容易に調整することができるため好ましい。
【００３０】
なお本実施形態では、側板１３，１４の形状を略三角形状の板材としたが、背板１２を傾斜させることができれば、側板１３，１４の形状は特に限定されない。ただし、側板１３，１４の形状を略三角形状とすることで、水槽用バックライト１０全体の側面形状を略三角形状とすることができるため、水槽用バックライト１０の後方下部に余裕空間が生じる。従って、放熱性の向上や配線場所の確保といった効果が得られる。
【００３１】
次に、図７及び図８を参照して、本考案の実施形態に係るバックライト付水槽について説明する。図７は本考案の実施形態に係るバックライト付水槽１００を示す正面図であり、図８は側面図である。なお、図１１及び図１２に示す従来例に係る水槽２００と共通する部分には、同一の符号を付し説明を省略する。
【００３２】
バックライト付水槽１００の背面には、図１乃至図６に示す水槽用バックライト１０が取り付けられている。水槽用バックライト１０は、留具１８，１９の垂直部を水槽の背板（ガラス）に引っ掛けることにより取り付けられている。このとき、水槽用バックライト１０の天板１１は水平に配置され、背板１２は上部から下部にかけて前方に突出するように傾斜して配置される。
【００３３】
一方、バックライト付水槽１００の上部のプランター１の前側には、照明装置が不要になることから、水槽上部を覆うにように樹脂板５が載置されている。
【００３４】
バックライト付水槽１００に取り付けた水槽用バックライト１０を点灯すると、天板１１の下面に配置された光源部１５から下向きに光が照射される。光源部１５から照射された光は、背板１２の内面に反射して、水槽１００を背面から照明する。このとき、水槽１００を正面から見ると、背板１２の内面に貼付された装飾シート１７の模様が浮かび上がる。
【００３５】
本実施形態に係る水槽用バックライト１０及びバックライト付水槽１００によれば、水槽用バックライト１０の天板１１の下面には下向きに光を照射する光源部１５が配置され、また水槽用バックライト１０の背板１２は上部から下部にかけて前方に突出するように傾斜しているため、下向きに照射された光源部１５からの光を、傾斜した背板１２の内面に反射させて方向を変えて、水槽１００を背面から的確に照明することができる。光源部１５からの光の方向を変えるために、先行技術文献に記載されたような溝を形成する必要はない。また、背板１２が傾斜しているので、水槽正面から見た場合に奥行きが出て広く感じるという視覚的効果を得ることができる。
【００３６】
また、背板１２の内面に装飾シート１７を貼付することにより、水槽正面から装飾シート１７に描かれた模様を見ることができる。また、装飾シート１７の反射率を調整することにより、水槽内の明るさを調整することができる。
【００３７】
なお、光源部１５からの光の背板１２の内面に対する照射角度を変化させるように、光源部１５を回動可能としてもよい。図９は、光源部１５を回動可能とした他の実施形態に係る水槽用バックライトの要部を示す拡大端面図である。図９に示すように、光源部１５の後方側に軸部を設けて、板状の光源部１５を矢印Ｂに示すごとく斜め後ろ向きに照射するように回動させる。
【００３８】
図９に示す他の実施形態に係る水槽用バックライトによれば、光源部１５からの光の背板１２の内面に対する照射角度を変化させるように、光源部１５を回動可能とすることにより、水槽内の明るさを調整することができ、また斜め下からなどの見る角度によって眩しい場合に、光源部１５が直接目に入らないようにすることができる。
【００３９】
また、光源部１５を正面から覆うカバー部を設けてもよい。図１０は、カバー部２０を設けた他の実施形態に係る水槽用バックライトの要部を示す拡大端面図である。図１０に示すように、カバー部２０は、光源部１５を正面から覆うように、天板１１の前側端部から下方に延びる庇状の板材である。カバー部２０は固定式としてもよいが、矢印Ｃに示すごとく軸部を設けて後ろ向きに回動可能としたり、矢印Ｄに示すごとく下方に伸縮するようにしたりしてもよい。
【００４０】
図１０に示す他の実施形態に係る水槽用バックライトによれば、光源部１５を正面から覆うカバー部２０を設けることにより、水槽内の明るさを調整することができ、また斜め下からなどの見る角度によって眩しい場合に、光源部１５が直接目に入らないようにすることができる。
【００４１】
なお、上記実施形態においては、水槽の上部にプランター１を設けたプランター付水槽について説明したが、当然ながらプランターのない一般的な水槽においても適用可能である。ただし、プランター付水槽のように、上部に設置物がある場合には、水槽上部のスペース上の制約から適用効果が大きい。
【００４２】
以上、本実施形態に係る水槽用バックライト１０及びバックライト付水槽１００によれば、低コストで水槽を背面から的確に照明するとともに、視覚的効果を高めることが可能な水槽用バックライト及びバックライト付水槽を提供することができる。
【符号の説明】
【００４３】
１  プランター
２  取水口
３  取水管
４  給水管
５  樹脂板
６  ガラス板
１０  バックライト
１１  天板
１２  背板
１３  側板
１４  側板
１５  光源部
１６  ＬＥＤ照明
１７  装飾シート
１８  留具
１９  留具
２０  カバー部
１００  バックライト付水槽
２００  水槽
【図１】
0003192835.tif 000003
【図２】
0003192835.tif 000004
【図３】
0003192835.tif 000005
【図４】
0003192835.tif 000006
【図５】
0003192835.tif 000007
【図６】
0003192835.tif 000008
【図７】
0003192835.tif 000009
【図８】
0003192835.tif 000010
【図９】
0003192835.tif 000011
【図１０】
0003192835.tif 000012
【図１１３】
0003192835.tif 000013
【図１２】
0003192835.tif 000014